(57)【要約】      （修正有）【課題】径の小さなつまみでも送出スピ−ドの合わせ込みでの煩雑な微調整を大幅に少なくし、また、使用者が何時も使う送出スピ−ドも設定できて、これに直ぐに戻せることで使い易くするエレクトリックキーヤー装置を提供する。【解決手段】使用者の技量・能力に合わせた可変抵抗器８の最大位置と最小位置の送出スピ−ド（Ｍａｘ値とＭｉｎ値）と、使用者が何時も使う送出スピ−ド（Ｍｙ値）をＲＡＭ６あるいは不揮発性メモリ１２あるいはプログラムメモリ４に新たに設け、これらをプログラムによるそれぞれのメニュ−によって設定し、可変抵抗器８でＭａｘ値とＭｉｎ値の間を可変範囲とすることで、可変抵抗器８の角度変化に対するスピ−ド変化を緩やかにする。【選択図】図１
2016127550.tif 000002
【特許請求の範囲】
【請求項１】
マイクロコントロ−ラとそのプログラムを用いて可変抵抗器によりモ−ルス符号の送出スピ−ドを可変するエレクトリックキ−ヤ−装置において、可変抵抗器の最小位置と最大位置の送出スピ−ドをプログラムにより変更・設定できる手段を備え、この二つの位置の送出スピ−ド値をＲＡＭ６あるいは不揮発性メモリ１２あるいはプログラムメモリ４に設けたことを特徴とするエレクトリックキ−ヤ−装置。
【請求項２】
マイクロコントロ−ラとそのプログラムを用いて可変抵抗器によりモ−ルス符号の送出スピ−ドを可変するエレクトリックキ−ヤ−装置において、使用者が何時も使うモ−ルス符号の送出スピ−ドをプログラムにより設定する手段を備え、スイッチ操作によりこの送出スピ−ドに戻せる手段を備え、この送出スピ−ド値をＲＡＭ６あるいは不揮発性メモリ１２あるいはプログラムメモリ４に設けたことを特徴とするエレクトリックキ−ヤ−装置。
【発明の詳細な説明】
【技術分野】
【０００１】
本発明は、マイクロコントロ−ラとそのプログラムを用いてモ−ルス符号を送出する無線装置に内蔵したり、あるいは単独で使用するエレクトリックキ−ヤ−装置に関するものである。
【背景技術】
【０００２】
モ−ルス符号は１短点分の時間を基準として、各文字毎に決められた短点と長点の組み合わせで、短点と短点の間や短点と長点の間、長点と長点の間は１短点分に、各文字の間は３短点分に、各単語間は７短点分と決められていて、１長点の時間長さは通常は３短点分だが必要において２．５短点〜４．５短点位に変更されて送出される。
【０００３】
この基準となる１短点分の時間は、マイクロコントロ−ラとそのプログラムを用いたエレクトリックキ−ヤ−装置では、通常マイクロコントロ−ラのタイマ−機能を用いて、このタイマ−部に１短点分の時間に必要な値をセットして生成している。また通常は３短点分の１長点の時間長さは３倍の繰返し、各単語間は７倍の繰返しで生成している。
【０００４】
そしてこの基準となる１短点分の時間は、モ−ルス符号による交信では相手側の送出スピ−ドに合わせて行うので、可変抵抗器で送出スピ−ドを可変するのが普通で、可変抵抗器で変化する電圧によりマイクロコントロ−ラのタイマ−部の必要な値を可変して送出スピ−ドを変化させている。
現在あるエレクトリックキ−ヤ−装置では、可変抵抗器の最小位置と最大位置の送出スピ−ドは固定で決められており変更できなく、ＰＡＲＩＳ符号という基準で最小位置での送出スピ−ドは６ｗｐｍ前後で、最大位置での送出スピ−ドは６０ｗｐｍ程度になっている（日特許文献１等）。これはまだモ−ルス通信を始めた初心者向けの送出スピ−ドの遅い６ｗｐｍ前後から、上級者向けの速い６０ｗｐｍ程度までを対応させる為に広い可変範囲になっている。
【先行技術文献】
【非特許文献】
【０００５】
【非特許文献１】ＹＡＥＳＵ  ＭＡＲＫ−Ｖ  カタログ
【発明の概要】
【発明が解決しようとする課題】
【０００６】
しかしながら、このエレクトリックキ−ヤ−装置を使うそれぞれの使用者は、それぞれの技量・能力に合った送出スピ−ド範囲があるので、従来のエレクトリックキ−ヤ−装置では可変抵抗器の最小位置から最大位置までの通常３００度の変化角度の一部の角度範囲しか使用しなく、また角度に対する送出スピ−ドの変化が大きいので、目的の送出スピ−ドに合わせようとしても行き過ぎたり、また逆に戻す場合も戻し過ぎたり、これを何回も繰返して微調整がやりずらいという問題点があった。
【０００７】
また同様に可変抵抗器で送出スピ−ドを変化させた後に使用者が何時も使う送出スピ−ドの位置に戻したつもりでも送出スピ−ドが何時ものものからずれるという問題点があり、この場合も何時も使う送出スピ−ドにする為にスピ−ドを上げたり下げたり何回も可変しなければいけない煩雑さの問題点があった。
【０００８】
この改善策として、一部の使用者は可変抵抗器のつまみにさらに径の大きいつまみを被せて微調整をし易くしたり、エレクトリックキ−ヤ−装置が内蔵された無線装置を供給するメ−カ−も大きいつまみにして改善しているが、無線装置やエレクトリックキ−ヤ−装置では他の用途のつまみとの配置上から送出スピ−ド用の可変抵抗器のつまみの大型化には限度があり極端には大きくできない問題点があり、通常３００度の変化角度での送出スピ−ド変化は同じなので使用者はその一部の角度範囲しか使用しないことや角度に対する送出スピ−ドの変化量も同じなので改善の程度は低い問題点があった。
【課題を解決するための手段】
【０００９】
本発明は、これらの課題を解決するため、可変抵抗器の最小位置と最大位置の送出スピ−ドを使用者の技量・能力に合わせてプログラムにより変更できる手段を備えたこと、およびスイッチ操作により使用者が何時も使うモ−ルス符号の送出スピ−ドに戻せるプログラム手段を備えたことを特徴とする。
【発明の効果】
【００１０】
本発明のエレクトリックキ−ヤ−装置は、モ−ルス符号の送出スピ−ドを可変する可変抵抗器の最小位置と最大位置のそれぞれのスピ−ドを使用者の技量・能力に合ったものに変更し設定できるので、可変抵抗器の角度に対する送出スピ−ドの変化が大幅に緩やかになる効果があり、この結果送出スピ−ドを合わせる為に何回もつまみを回してスピ-ドを上げ下げしなくてもよいという効果がある。またスイッチ操作により使用者が何時も使う送出スピ−ドに瞬時に戻せるという効果がある。
【００１１】
さらに可変抵抗器の最小位置と最大位置のそれぞれの送出スピ−ドは使用者の技量・能力に合ったものになっているので、送出スピ−ドを可変する可変抵抗器のつまみの大型化はまったく必要なく、径の小さなつまみでも充分に微調整できる効果が得られ、これによりエレクトリックキ−ヤ−装置やこの装置を内蔵した無線装置でのつまみ配置の自由度が大幅にアップするという大きな効果が得られる。
【発明を実施するための形態】
【００１２】
以下、本発明の実施の形態を図１〜図３に基づいて説明する。
【実施例１】
【００１３】
図１は、本発明装置の１実施例のブロックの説明図である。モ−ルス符号の送出スピ−ドの可変は基準電圧７に接続された可変抵抗器８の電圧をＡ／Ｄコンバ−タ９で取り込み、プログラムメモリ４上にある最大位置と最小位置の定数により、ＣＰＵ５でプログラムにより計算されて可変抵抗器８の可変位置に見合う送出スピ−ドになるようにタイマ−１０の設定を行っていたが、従来の技術ではプログラムメモリ４上にある最大位置と最小位置の定数は、それぞれの位置の限界値として定義されていて固定で使用者が変更することはできなかった。
【００１４】
なお、本発明の実施例では送出スピ−ドの可変情報としてＡ／Ｄコンバ−タ９で可変抵抗器８の電圧を取り込んでいるが、この他に可変抵抗器の変化を含む抵抗値Ｒとコンデンサ−値ＣのＣＲの時定数によりタイマ−１０の設定を行う方法もあるが、この方法も同様に最大位置と最小位置の送出スピ−ドは固定で使用者が変更することはできなかった。このＣＲの時定数を使う方法は充電または放電の後半の電圧変化が緩やかな所では検出するスレッシホ−ルド電圧に対して時間誤差が大きくなり、Ａ／Ｄコンバ−タを使う方法より劣るので本発明では一般的なＡ／Ｄコンバ−タを使った方法で説明する。
【００１５】
また従来の技術では、この定義された最大位置と最小位置の定数値は、モ−ルス通信を始めた初心者向けの送出スピ−ドの遅い６ｗｐｍ前後を最小位置の定数値に、上級者向けの速い６０ｗｐｍ程度を最大位置の定数値にするので、広い可変範囲になっている反面、角度に対する送出スピ−ドの変化が大きいことや使用者が何時も使う送出スピ−ドの位置に戻したつもりでも送出スピ−ドが何時ものものからずれるということ、何時も使う送出スピ−ドに直ぐに戻せないという問題点があった。
【００１６】
本発明ではこの最大位置と最小位置の定数はそのままそれぞれの位置の限界値として使用し、新たに最大位置と最小位置の送出スピ−ドを使用者の技量・能力に見合った送出スピ−ドにするために、ＲＡＭ６あるいは不揮発性メモリ１２あるいはプログラムメモリ４に最大位置の送出スピ−ドＭａｘ値と最小位置の送出スピ−ドＭｉｎ値および使用者が何時も使う送出スピ−ドＭｙ値を変数として設けている。図１では代表してＲＡＭ６に示しており、Ｍａｘ値とＭｉｎ値とＭｙ値は便宜上で付けた値の呼称である。
【００１７】
そして、このＭａｘ値とＭｉｎ値を外部ポ−ト３に接続されたメニュ−スイッチ１により、それぞれの設定メニュ−にもっていき、可変抵抗器８の調整によりプログラムでそれぞれの値に設定する。またＭｙ値をメニュ−スイッチ１により、Ｍｙ値の設定メニュ−にもっていき、可変抵抗器８の調整によりプログラムで値を設定する。この時、必要に応じてそれぞれの設定メニュ−と送出スピ−ドは表示器１１に表示する。
【００１８】
そして本発明で設けたＭａｘ値とＭｉｎ値により可変抵抗器８の可変位置に見合う送出スピ−ドになるようにプログラムでタイマ−１０の設定を行えば、可変抵抗器８の最大位置と最小位置の送出スピ−ドは使用者の技量・能力に合った可変範囲となり、変化が緩やかで調整がやり易くなる。そして相手側の送出スピ−ドに合わせて可変抵抗器８を動かしてモ−ルス符号による交信を行った後は、スピ−ド戻しスイッチ２によりプログラムで送出スピ−ドをＭｙ値に戻すようにすれば、使用者が何時も使う送出スピ−ドに直ぐに戻すことが可能となる利点がある。
【００１９】
なお、マイクロコントロ−ラの電源がオフするとＲＡＭ６上にあるＭａｘ値、Ｍｉｎ値、Ｍｙ値はなくなるが、再び電源がオンしても同じ値が使えるように必要に応じて不揮発性メモリ１２やプログラムメモリ４に書き込んでおき再びＲＡＭ６上に戻すことや、直接不揮発性メモリ１２やプログラムメモリ４から読み出すことは今日の技術では普通に実施されていることは言うまでもない。
【００２０】
また、メニュ−スイッチ１とスピ−ド戻しスイッチ２はそれぞれ別の接続で外部ポ−ト３へ入力しているが、これらは外部ポ−ト３の別のＡ／Ｄコンバ−タへ共通で接続して、それぞれのスイッチが押された時に違う電圧になるように抵抗値を選び、このＡ／Ｄコンバ−タの入力電圧範囲を分割してメニュ−スイッチ１とスピ−ド戻しスイッチ２に別々に割り当てしてもよく、この方法も今日の技術では普通に実施されていることは言うまでもない。
【実施例２】
【００２１】
図２の実施例は、図１の実施例でＭａｘ値、Ｍｉｎ値、Ｍｙ値の設定を可変抵抗器８で行っていたが、この設定をロ−タリ−エンコ−ダ１３の変化をプログラムで可変して行う例で、これ以外は図１の実施例と同じである。
【実施例３】
【００２２】
図３の実施例は、図１の実施例でＭａｘ値、Ｍｉｎ値、Ｍｙ値の設定を可変抵抗器８で行っていたが、この設定をＵＰスイッチ１４とＤＯＷＮスイッチ１５で行う例で、プログラムによりＵＰスイッチ１４を押せばＭａｘ値、Ｍｉｎ値、Ｍｙ値のそれぞれの設定値は上昇し、ＤＯＷＮスイッチを押せば下降する。これ以外は図１の実施例と同じである。
【図面の簡単な説明】
【００２３】
【図１】図１はエレクトリックキ−ヤ−装置の実施方法を示した説明図である。            （実施例１）
【図２】図２はエレクトリックキ−ヤ−装置の実施方法を示した説明図である。            （実施例２）
【図３】図３はエレクトリックキ−ヤ−装置の実施方法を示した説明図である。            （実施例３）
【符号の説明】
【００２４】
１      メニュ−スイッチ
２      スピ−ド戻し スイッチ
３      外部ポ−ト
４      プログラムメモリ
５      ＣＰＵ
６      ＲＡＭ
７      基準電圧
８      可変抵抗器
９      Ａ／Ｄコンバ−タ
１０    タイマ−
１１    表示器
１２    不揮発性メモリ
１３    ロ−タリ−エンコ−ダ
１４    ＵＰスイッチ
１５    ＤＯＷＮスイッチ
【図１】
2016127550.tif 000003
【図２】
2016127550.tif 000004
【図３】
2016127550.tif 000005